(57)【特許請求の範囲】
【請求項１】
円筒状物体の一端を保持する第１の弾性体と、
前記円筒状物体の他端を保持するとともに、雌ねじ部を有するブロックと、
該ブロックの前記雌ねじ部に螺合する調整ねじと、
該調整ねじのねじ頭と前記ブロックとの間に介装され、前記調整ねじが挿通可能な挿通穴と、該挿通穴を跨いで両側に雌ねじ部を有するカバーと、
該カバーと前記調整ねじのねじ頭との間に介装される第２の弾性体と、
前記カバーの前記雌ねじ部に螺合する押しねじとを備えたことを特徴とする円筒状物体の芯出し構造。
【請求項２】
円筒状物体を保持する保持部と、雌ねじ部を有するブロックと、
該ブロックの前記雌ねじ部に螺合する調整ねじと、
該調整ねじのねじ頭と前記ブロックとの間に介装され、前記調整ねじが挿通可能な挿通穴と、該挿通穴を跨ぐ２箇所に雌ねじ部を有するカバーと、
該カバーと前記調整ねじのねじ頭との間に介装される第２の弾性体と、
前記カバーの前記雌ねじ部に螺合する押しねじとを備えた保持構造を、円筒状物体の両端に配置したことを特徴とする円筒状物体の芯出し構造。
【発明の詳細な説明】
【０００１】
【発明の属する技術分野】
本発明は、レーザ測距装置に用いられるレーザポインタの光軸調整等に適用することのできる円筒状物体の芯出し構造に関する。
【０００２】
【従来の技術】
従来、レーザ測距装置内に配置されたレーザポインタの光軸を調整するにあたって、例えば、図５及び図６に示すような芯出し構造が採用されている。
【０００３】
このレーザポインタの芯出し構造では、レーザポインタ６の前後に取り付けられた円筒状のホルダー１、２を介して、レーザポインタ６を調整ねじ４、４ａ、４ｂ、５、５ａ、５ｂによって保持し、光軸調整を行うにあたっては、調整ねじ４ａ、４ｂ、５ａ、５ｂを緩めることによってレーザポインタ６の前後を下方に移動し、逆に、調整ねじ４、５を緩めて調整ねじ４ａ、４ｂ、５ａ、５ｂを締め付けることによってレーザポインタ６の前後を上方に垂直移動させる。
【０００４】
また、レーザポインタ６の水平方向位置調整にあたっても、調整ねじ４ａ、５ａ、または調整ねじ４ｂ、５ｂを緩め、調整ねじ４ｂ、５ｂ、または調整ねじ４ａ、５ａを締め付けることによって調整を行っていた。
【０００５】
さらに、角度調整を必要とする場合には、前方の調整ねじ５、５ａ、５ｂを緩め、後方の調整ねじ４、４ａ、４ｂの押し引きによりレーザポインタ６の角度調整を行っていた。
【０００６】
【発明が解決しようとする課題】
しかし、上記従来のレーザポインタの芯出し構造においては、３方向から調整を行わねばならないため、レーザポインタをレーザ測距装置内に組み込むと、調整ねじ４、４ａ、４ｂ、５、５ａ、５ｂが他の部品の陰になってしまって光軸調整ができないおそれがあるという問題があった。
【０００７】
そこで、本発明は上記従来のレーザポインタの芯出し構造等における問題点に鑑みてなされたものであって、容易にレーザポインタ等の円筒状物体の芯出しを行うことのできる円筒状物体の芯出し構造を提供することを目的とする。
【０００８】
【課題を解決するための手段】
上記目的を達成するため請求項１記載の発明は、円筒状物体の芯出し構造であって、円筒状物体の一端を保持する第１の弾性体と、前記円筒状物体の他端を保持するとともに、雌ねじ部を有するブロックと、該ブロックの前記雌ねじ部に螺合する調整ねじと、該調整ねじのねじ頭と前記ブロックとの間に介装され、前記調整ねじが挿通可能な挿通穴と、該挿通穴を跨いで両側に雌ねじ部を有するカバーと、該カバーと前記調整ねじのねじ頭との間に介装される第２の弾性体と、前記カバーの前記雌ねじ部に螺合する押しねじとを備えたことを特徴とする。
【０００９】
そして、請求項１記載の発明によれば、円筒状物体の一端を保持する第１の弾性体を支点として、円筒状物体の他端に備えられた調整ねじ及び押しねじを調整することにより、円筒状物体の水平方向及び垂直方向の芯出しを行うことができるため、一方向からだけで容易に円筒状物体の芯出しを行うことができる。
【００１０】
また、請求項２記載の発明は、円筒状物体の芯出し構造であって、円筒状物体を保持する保持部と、雌ねじ部を有するブロックと、該ブロックの前記雌ねじ部に螺合する調整ねじと、該調整ねじのねじ頭と前記ブロックとの間に介装され、前記調整ねじが挿通可能な挿通穴と、該挿通穴を跨ぐ２箇所に雌ねじ部を有するカバーと、該カバーと前記調整ねじのねじ頭との間に介装される第２の弾性体と、前記カバーの前記雌ねじ部に螺合する押しねじとを備えた保持構造を、円筒状物体の両端に配置したことを特徴とする。
【００１１】
請求項２記載の発明によれば、円筒状物体の一端に配置された一方の保持構造を支点として、円筒状物体の他端に配置された他方の保持構造の調整ねじ及び押しねじを調整することにより、円筒状物体の水平方向及び垂直方向の芯出しを行うことができるため、一方向からだけで容易に円筒状物体の芯出しを行うことができるとともに、円筒状物体の両端の保持構造を調整することによって、より角度の大きい調整も可能となり、円筒状物体の調整範囲を広げることができる。
【００１２】
【発明の実施の形態】
次に、本発明にかかる円筒状物体の芯出し構造の実施の形態の具体例を図面を参照しながら説明する。尚、ここでは、本発明にかかる円筒状物体の芯出し構造を、レーザ測距装置内に配置されたレーザポインタの光軸調整に適用した場合について説明する。
【００１３】
図１乃至図４は、本発明にかかるレーザポインタの芯出し構造を示し、このレーザポインタの芯出し構造は、弾性体１０と、雌ねじ部９ａを有するブロック９と、ブロック９の雌ねじ部９ａに螺合する調整ねじ１２と、調整ねじ１２のねじ頭とブロック９との間に介装されたカバー８と、カバー８と調整ねじ１２のねじ頭との間に介装される第２の弾性体としての皿ばね１１と、カバー８の雌ねじ部８ａ、８ｂに螺合する押しねじ１３、１４等で構成される。
【００１４】
図３に示すように、レーザポインタ６は、ベース７と、カバー８とによって囲繞された状態でレーザ測距装置内に配置されている。
【００１５】
弾性体１０は、ベース７に保持され、レーザポインタ６の左端部を支持している。これによって、レーザポインタ６は弾性体１０を支点として回動することができる。
【００１６】
直方体状のブロック９は、図２に示すように、雌ねじ部９ｂ、９ｃに螺合する押しねじ１５、１６によってレーザポインタ６の右端部に固定されている。また、雌ねじ部９ａには、調整ねじ１２が螺合する。
【００１７】
調整ねじ１２は、カバー８の挿通穴８ａを挿通し、ブロック９の雌ねじ部９ａに螺合する。この調整ねじ１２のねじ頭とカバー８との間には、皿ばね１１が配置され、皿ばね１１によって押しねじ１３、１４を介してブロック９が下方向に付勢されている。
【００１８】
カバー８は、調整ねじ１２のねじ頭とブロック９の上面との間に配置され、雌ねじ部８ｂ、８ｃには押しねじ１３、１４が螺合する。そして、押しねじ１３、１４の下端部がブロック９の上面に当接している。
【００１９】
次に、上記構成を有するレーザポインタの芯出し構造の動作について説明する。
【００２０】
図１乃至図３に示すように、レーザポインタ６は、弾性体１０を介してベース７に保持されているレーザ照射側を支点にして、ブロック９を同一方向より、皿ばね１１を介した調整ねじ１２及び押しねじ１３、１４の押し引きで調整することにより、レーザポインタ６の光軸を水平及び、垂直方向に調整する。
【００２１】
垂直方向の調整を行うにあたっては、図４（ａ）に示すように、調整ねじ１２を緩め、押しねじ１３、１４を均等に締め付けると、ブロック９は、下方に移動し、レーザポインタ６の光軸は初期値より上方に移動する。
【００２２】
また、図４（ｂ）に示すように、押しねじ１３、１４を緩め、調整ねじ１２を締め付けると、ブロック９は上方に移動し、レーザポインタ６の光軸は、初期値より下方に移動する。
【００２３】
水平方向の調整を行うにあたっても、図４（ｃ）に示すように、押しねじ１４を緩めて押しねじ１３を締め付けると、ブロック９は、調整ねじ１２と皿ばね１１の接触部を中心に弧を描くようにして押しねじ１４側へ移動し、レーザポインタ６の光軸は、初期値より横方向の押しねじ１３側へ移動する。
【００２４】
同様に、図４（ｄ）に示すように、押しねじ１３を緩めて押しねじ１４を締め付けると、ブロック９は、調整ねじ１２と皿ばね１１の接触部を中心に弧を描くように押しねじ１３側へ移動し、レーザポインタ６の光軸は、初期値より押しねじ１４側へ移動する。
【００２５】
以上のようにして、測距する光軸にレーザポインタ６の光軸を調整して合わせる。このとき、皿ばね１１は、その弾性により押しねじ１３、１４の調整時のガタを除去し、調整を容易にしている。
【００２６】
尚、上記実施例では、レーザ照射位置を特定範囲に固定するため、レーザポインタ６のレーザ照射側を支点として保持しているが、レーザポインタ６のレーザ照射反対側を支点としてレーザ照射側にブロック９を取り付けることも可能で、同様の効果が得られる。
【００２７】
また、レーザ照射側、反対側ともにブロック９を取り付け、各々のプロック９に調整ねじ１２及び、押しねじ１３、１４を配置しても同じ効果が得られるとともに、レーザポインタ６の前後を調整することもできるようになるため、レーザポインタ６により角度を付けることができ、調整範囲を広げることができる。
【００２８】
以上説明したように、上記構成によって、レーザの調整を一方向から容易に行えるようになるため、レーザ機器への搭載だけでなくレーザ光軸の調整構造としての適用が可能である。特に、高所及び、閉空間における作業が必要な場合にはその有用性が活かされる。
【００２９】
尚、上記実施例における皿ばね１１は、コイルばね等の弾性を有する部品に置き換えることも可能である。
【００３０】
また、本発明にかかる円筒状物体の芯出し構造は、上記レーザポインタ６の光軸調整だけでなく、照準器ライフルスコープ等の円筒形部品に対しても適用することができる。
【００３１】
【発明の効果】
以上説明したように、本発明によれば、容易にレーザポインタ等の円筒状物体の芯出しを行うことのできる円筒状物体の芯出し構造を提供することができる。
【図面の簡単な説明】
【図１】本発明にかかる円筒状物体の芯出し構造の一実施例を示す図であって、（ａ）は上面図、（ｂ）は正面図である。
【図２】図１のＢ−Ｂ線断面図である。
【図３】図１のＣ−Ｃ線断面図である。
【図４】図１の円筒状物体の芯出し構造を適用したレーザポインタの動作を説明するための図であって、図１（ｂ）のＢ−Ｂ線断面図に対応する断面図である。
【図５】従来のレーザポインタの芯出し構造の一例を示す側面図である。
【図６】図５のＡ−Ａ線断面図である。
【符号の説明】
１、２  ホルダー
３      ベース
４、５  調整ねじ
６      レーザポインタ
７      ベース
８      カバー
８ａ    挿通穴
８ｂ、８ｃ    雌ねじ部
９      ブロック
９ａ〜９ｃ    雌ねじ部
１０    弾性体
１１    皿ばね
１２    調整ねじ
１３〜１６    押しねじ
１７〜２０    固定ねじ
【図１】
0003914698.tif 000002
【図２】
0003914698.tif 000003
【図３】
0003914698.tif 000004
【図４】
0003914698.tif 000005
【図５】
0003914698.tif 000006
【図６】
0003914698.tif 000007